(57)【要約】【課題】腰を屈めることなく体重計等の機器を壁に沿った姿勢に収納できる機器収納装置を提供する。【解決手段】機器を保持可能とし、下端部を中心とした回動が可能なパネルと、前記パネルを床面に対して垂直方向の姿勢となる方向に付勢する付勢手段と、前記パネルを床面に対して略垂直方向の姿勢で保持する第１ロック手段と、前記パネルを床面に対して略水平方向の姿勢で保持する第２ロック手段と、を備え、前記第１ロック手段のロックを解除すると前記パネルが前記付勢手段に対抗して前傾姿勢となるまで回動し、前記第２ロック手段のロックを解除すると前記パネルが前記付勢手段により前記前傾姿勢となるまで回動する、ことを特徴とする機器収納装置が提供される。【選択図】図１
2009069116.tif 000002
【特許請求の範囲】
【請求項１】
機器を保持可能とし、下端部を中心とした回動が可能なパネルと、
前記パネルを床面に対して垂直方向の姿勢となる方向に付勢する付勢手段と、
前記パネルを床面に対して略垂直方向の姿勢で保持する第１ロック手段と、
前記パネルを床面に対して略水平方向の姿勢で保持する第２ロック手段と、
を備え、
前記第１ロック手段のロックを解除すると前記パネルが前記付勢手段に対抗して前傾姿勢となるまで回動し、
前記第２ロック手段のロックを解除すると前記パネルが前記付勢手段により前記前傾姿勢となるまで回動する、
ことを特徴とする機器収納装置。
【請求項２】
前記第２ロック手段のロックを解除する操作部を前記収納キャビネットの上方部に設けたことを特徴とする請求項１記載の機器収納装置。
【請求項３】
前記第２ロック手段のロックを解除する操作部を前記収納キャビネットの下方部に設け、人の足で操作可能としたことを特徴とする請求項１記載の機器収納装置。
【請求項４】
前記第２ロック手段のロックを解除する操作部を前記パネルに設け、人の足で操作可能としたことを特徴とする請求項１記載の機器収納装置。
【請求項５】
前記前傾姿勢における前記パネルの最上端は、床面から２５０〜４００ｍｍの高さであることを特徴とする請求項１〜４のいずれか１つに記載の機器収納装置。
【請求項６】
前記パネルに保持された体重計をさらに備えたことを特徴とする請求項１〜５のいずれか１つに記載の機器収納装置。
【発明の詳細な説明】
【技術分野】
【０００１】
本発明は、機器収納装置に関し、具体的には体重、体脂肪率などを測定可能とする体組成計等の機器を収納させる機器収納装置に関する。
【背景技術】
【０００２】
体重計を使用していない時には回動させて、壁面に対して垂直方向の姿勢にして収納する体重計収納装置が開示されている（例えば、特許文献１、２）。体重計は床面に対して水平方向の姿勢で使用されるため、特許文献１および２に記載された体重計収納装置は、収納時において体重計を床面に対して水平方向の姿勢から垂直方向の姿勢まで回動させる構造を有する。
【特許文献１】実開平６−８４３１８号公報
【特許文献２】特開平７−１９８４６８号公報
【発明の開示】
【発明が解決しようとする課題】
【０００３】
しかし、体重計は、床面に対して平行な状態で使用するものである。このため、特許文献１及び２に開示されている体重計収納装置の場合、体重計を使用した後に収納する際に、使用者が腰を屈めて体重計の一端を持ち上げなければならず、高齢者や腰の不自由な人にとって身体的な負担が大きい点で、改善の余地があった。  
本発明は、かかる課題の認識に基づいてなされたものであり、腰を大きく屈めることなく体重計等の機器を壁に沿った姿勢に収納できる機器収納装置を提供する。
【課題を解決するための手段】
【０００４】
本発明の一態様によれば、機器を保持可能とし、下端部を中心とした回動が可能なパネルと、前記パネルを床面に対して垂直方向の姿勢となる方向に付勢する付勢手段と、前記パネルを床面に対して略垂直方向の姿勢で保持する第１ロック手段と、前記パネルを床面に対して略水平方向の姿勢で保持する第２ロック手段と、を備え、前記第１ロック手段のロックを解除すると前記パネルが前記付勢手段に対抗して前傾姿勢となるまで回動し、前記第２ロック手段のロックを解除すると前記パネルが前記付勢手段により前記前傾姿勢となるまで回動する、ことを特徴とする機器収納装置が提供される。
【発明の効果】
【０００５】
本発明によれば、腰を大きく屈めることなく体重計等の機器を壁に沿った姿勢に収納できる機器収納装置が提供される。
【発明を実施するための最良の形態】
【０００６】
以下、本発明の実施の形態について図面を参照しつつ説明する。なお、各図面中、同様の構成要素には同一の符号を付して詳細な説明は適宜省略する。  
図１は、本発明の実施の形態にかかる機器収納装置を右側面から眺めた模式図であり、図１（ａ）は、パネルが収納された状態を例示した模式図であり、図１（ｂ）は、パネルが前傾姿勢となった状態を例示した模式図であり、図１（ｃ）は、パネルが床面に対して水平方向の姿勢となった状態を例示した模式図である。
【０００７】
本実施形態の機器収納装置２においては、体重計等の機器を収納するための収納キャビネット７が設けられている。収納キャビネット７の前方部においては、扉３が設けられている。説明の便宜上、図１に表した機器収納機器は、扉３が開いた状態となっている。収納キャビネット７の内部においては、体重計等の機器を保持するパネル３１と、機器１が設けられている。
【０００８】
パネル３１の下方部においては、回転軸３３と、ばね３５が設けられている。回転軸３３の一端はパネル３１に締結されており、他端は収納キャビネット７に連結されている。この回転軸３３によって、パネル３１は回転軸３３を中心として回動可能な構造を有している。ばね３５は、回転軸３３の軸外周に組み込まれており、パネル３１が床面２０に対して垂直方向の姿勢となる方向に付勢している。また、パネル３１は、パネル３１が床面２０に対して水平方向の姿勢となった状態をロックするための固定つめ３１ａを有する。
【０００９】
収納キャビネット７の上方部においては、パネル３１が床面２０に対して垂直方向の姿勢となった状態をロックするためのラッチ３７が設けられている。収納キャビネット７の下方部においては、パネル３１が床面２０に対して水平方向の姿勢となった状態をロックするためのロック機構４０が設けられている。収納キャビネット７の側面部においては、ロック機構４０のロックを解除するためのロック解除レバー３２が設けられている。
【００１０】
パネル３１および機器１が収納キャビネット７に収納されている場合においては、パネル３１および機器１は、床面２０に対して垂直方向の姿勢となるように収納されている。この状態においては、パネル３１はラッチ３７によってロックされている。ラッチ３７は、矢印１００の方向に押す毎に、前方へ引き出される状態と、後方へ押し込まれる状態と、を繰り返す構造を有する。
【００１１】
扉３を開き、パネル３１を矢印１００の方向に押し込むと、ラッチ３７が前方へ引き出され、パネル３１がラッチ３７のロックから解除される。パネル３１がラッチ３７のロックから解除されると、パネル３１は機器１と共に回転軸３３を中心として矢印１０２の方向へ自重によって回動を始める。
【００１２】
パネル３１が機器１と共に回動を続け、パネル３１および機器１が自重によって回動する力と、ばね３５がパネル３１を付勢する力と、が釣り合ったところでパネル３１は一旦停止する。つまり、図１（ｂ）に表した機器収納装置２のように、パネル３１および機器１は、前傾姿勢となった任意角度において一旦停止する。
【００１３】
パネル３１が一旦停止した状態から、パネル３１を例えば足５４（図２参照）などによって矢印１０４の方向へ押し下げると、パネル３１を上方へ押し上げる方向（付勢方向）への力をばね３５に溜め込みながら、パネル３１および機器１は床面２０に対して水平方向の姿勢となる。パネル３１が床面２０に対して水平方向の姿勢になると、固定つめ３１ａがロック機構４０に固定されることによって、パネル３１および機器１は床面２０に対して水平方向の姿勢に保持される。この状態において、使用者は例えば体重計などの機器１を使用できる。
【００１４】
機器１の使用後にパネル３１および機器１を収納する場合においては、使用者はロック解除レバー３２を下方へ押し下げればよい。ロック解除レバー３２を下方へ押し下げると、固定つめ３１ａとロック機構４０とのロックが解除されて、ばね３５に溜め込まれた力によって、パネル３１が矢印１０６の方向へ回動を始める。
【００１５】
パネル３１が機器１と共に矢印１０６の方向へ回動を続けると、パネル３１および機器１が自重によって下方へ回動しようとする力と、ばね３５がパネル３１を付勢する力と、が釣り合ったところでパネル３１は再度一旦停止する。この状態から例えば手５２（図２参照）などを使用して、パネル３１を収納キャビネット７に収納する。パネル３１がラッチ３７によってロックされ、使用者が扉３を閉止すると、パネル３１および機器１の収納動作が完了する。
【００１６】
図２は、本実施形態にかかるパネルが前傾姿勢となって一旦停止した状態を例示した模式図である。なお、図２に表したパネルにおいては、説明の便宜上、扉３と、収納式体重計ユニット２の右側面の壁と、を省略して表している。  
図２に表したパネル３１は、床面２０からパネル３１の最上端までの高さが寸法Ａとなった状態で一旦停止している。この寸法Ａにおいては、使用者の手５２によってパネル３１を持ち上げることができる寸法、および使用者の足５４によってパネル３１を踏み下げることができる寸法、に寸法Ａを設定することが望ましい。
【００１７】
パネル３１が床面２０に対して水平方向の姿勢となった状態からパネル３１を収納する場合においては、パネル３１を手５２で持ち上げるために使用者は腰を大きく屈める必要がある。収納する度に腰を屈めると、特に高齢者である使用者の体への負担が大きい。腰を屈めることなくパネル３１の収納動作を楽な姿勢で行うことができれば、使用者の体への負担は軽減されるが、パネル３１の収納方法は、手５２を使用したり、または足５４を使用したり、と使用者によって様々である。
【００１８】
そこで、本発明者は、検討の結果、手５２および足５４を使用することによって腰を大きく屈めることなくパネル３１の操作を行うことができる寸法Ａは、約２５０〜４００ｍｍ程度であることを見出した。使用者の身長差はあるものの、長身者が手５２を使用する場合においては、使用者は肩の部分を下げることで腰を大きく屈めることなくパネル３１の操作を行える。なお、パネル３１を上方へ押し上げる方向の付勢力と、パネル３１と機器１との重量と、の比率に合わせたばね３５を適宜選択することで、寸法Ａを任意の高さに設定することができる。
【００１９】
以上説明したように、本実施形態によれば、パネル３１および機器１が自重によって回動する力と、ばね３５がパネル３１を付勢する力と、が釣り合ったところでパネル３１が一旦停止するため、使用者は腰を大きく屈めることなく楽な姿勢でパネル３１および機器１を収納キャビネット７の内部に収納できる。
【００２０】
以下、本実施形態の具体例について図面を参照しつつ説明する。  
図３は、本実施形態の具体例にかかる機器収納装置を例示した斜視図である。  
本具体例の機器収納装置２においては、体重計等の機器を収納するための収納キャビネット７が設けられている。収納キャビネット７の前方部においては、扉（図示せず）が設けられている。収納キャビネット７の内部においては、体重計等の機器を保持するパネル３１と、機器１が設けられている。
【００２１】
パネル３１の下方部においては、回転軸３３と、ばね３５が設けられている。回転軸３３の一端はパネル３１に締結されており、他端は収納キャビネット７に連結されている。この回転軸３３によって、パネル３１は回転軸３３を中心として回動可能な構造を有している。ばね３５は、回転軸３３の軸外周に組み込まれており、パネル３１が床面２０に対して垂直方向の姿勢となる方向に付勢している。
【００２２】
収納キャビネット７の上方部においては、パネル３１が床面２０に対して垂直方向の姿勢となった状態をロックするためのラッチ３７が設けられている。収納キャビネット７の下方部においては、パネル３１が床面２０に対して水平方向の姿勢となった状態をロックするためのロック機構４０が設けられている。収納キャビネット７の右側方部においては、ロック機構４０のロックを解除するためのロック解除レバー３２が設けられている。ロック解除レバー３２と、ロック機構４０と、は、接続桿４４によって接続されている。また、収納キャビネット７の後方部においては、ばね３５を受けるためのばね受け３６が設けられている。
【００２３】
ロック機構４０は、ばねガイド４０ａ（図６参照）を下方部に有している。ばねガイド４０ａの軸外周においては、ロック用ばね４１ａが設けられている。これと同様に、ロック解除レバー３２は、下方部にばねガイドを有しており、このばねガイドの軸外周においては、ロック用ばね４１ｂが設けられている。
【００２４】
収納キャビネット７は、ばねガイド４０ａを引き入れるためのガイド孔７ｂ（図６参照）と、ロック解除レバー３２の下方部に設けられたばねガイドを引き入れるためのガイド孔７ｃと、を下方部に有している。さらに、収納キャビネット７は、ロック解除レバー３２を通すためのレバー用孔７ａを右側方部に有している。
【００２５】
パネル３１は、パネル３１が床面２０に対して水平方向の姿勢となった状態をロックするための固定つめ３１ａを有している。さらに、パネル３１は、ばね３５を固定するためのばね受け３１ｂを有している。なお、説明の便宜上、主に収納キャビネット７の中央部から右側方部にかけて説明したが、回転軸３３と、ばね３５と、ばね受け３６と、は収納キャビネット７の左側方部においても、鏡面対称の状態で設けられている。
【００２６】
図４は、本実施形態の具体例にかかるパネルが収納された状態を右側方から眺めたＡ−Ａ断面図である。  
また、図５は、本実施形態の具体例にかかるパネルが前傾姿勢となった状態を右側方から眺めたＡ−Ａ断面図である。  
また、図６は、本実施形態の具体例にかかるパネルがロック機構に接触した状態を右側方から眺めたＡ−Ａ断面図である。  
また、図７は、本実施形態の具体例にかかるパネルが床面に対して水平方向の姿勢となった状態を右側方から眺めたＡ−Ａ断面図である。  
なお、図４〜図７に表した機器収納装置においては、説明の便宜上、収納キャビネット７と、ラッチ３７と、は省略している。
【００２７】
パネル３１および機器１が収納キャビネット７に収納されている場合においては、パネル３１および機器１は、床面２０に対して垂直方向の姿勢となるように収納されている。この状態においては、パネル３１はラッチ３７によってロックされている。ラッチ３７は、後方に押す毎に、前方へ引き出される状態と、後方へ押し込まれる状態と、を繰り返す構造を有する。また、ばね３５は、ばね受け３６に受けられてなく、ばね３５とばね受け３６との間においては隙間がある。
【００２８】
パネル３１を後方に押し込むと、ラッチ３７が前方へ引き出され、パネル３１がラッチ３７のロックから解除される。パネル３１がラッチ３７のロックから解除されると、パネル３１は機器１と共に回転軸３３を中心として矢印１０２の方向へ自重によって回動を始める。
【００２９】
図５に表した機器収納装置２のように、パネル３１が機器１と共に回動を続けると、ばね３５がばね受け３６に接触する。ばね３５がばね受け３６に接触すると、ばね受け３６側のばね３５の端部の動きは止まる。これに対して、パネル３１が有するばね受け３１ｂ側のばね３５の端部は、ばね受け３１ｂに固定されているため、パネル３１と共にさらに回動を続け、ばね３５はパネル３１を上方へ押し上げる方向（付勢方向）への力を溜め込んでいく。
【００３０】
パネル３１および機器１が自重によって回動する力と、ばね３５がパネル３１を付勢する力と、が釣り合ったところでパネル３１は一旦停止する。つまり、パネル３１および機器１は、前傾姿勢となった任意角度において一旦停止する。なお、パネル３１を上方へ押し上げる方向の付勢力と、パネル３１と機器１との重量と、の比率に合わせたばね３５を適宜選択することで、パネル３１が前傾姿勢となる角度を予め設定することができる。
【００３１】
パネル３１が一旦停止した状態から、パネル３１を例えば足５４（図２参照）などによって下方へ押し下げると、パネル３１を上方へ押し上げる方向（付勢方向）への力をばね３５にさらに溜め込みながら、固定つめ３１ａはロック機構４０と接触するようになる。さらにパネル３１を押し下げると、ロック機構４０は、固定つめ３１ａによって下方へ押し下げられる。収納キャビネット７は、ロック機構４０の下方部に設けられたばねガイドを引き入れるためのガイド孔７ｂを有しているため、ロック機構４０は下方へ移動することが可能である。
【００３２】
パネル３１および機器１が床面２０に対して水平方向の姿勢になるまでパネル３１を押し下げると、固定つめ３１ａがロック機構４０を通過するため、固定つめ３１ａとロック機構４０とが非接触状態となる。そのため、ロック機構４０がロック用ばね４１ａによって押し上げられ、固定つめ３１ａがロック機構４０に固定される。このようにして、パネル３１および機器１は床面２０に対して水平方向の姿勢に保持される。この状態において、ばね３５はパネル３１を上方へ押し上げる方向（付勢方向）への力を最大限に溜め込んでいる。また、この状態において、使用者は例えば体重計などの機器１を使用できる。
【００３３】
機器１の使用後にパネル３１および機器１を収納する場合においては、使用者はロック解除レバー３２を下方へ押し下げればよい。ロック解除レバー３２とロック機構４０とは、接続桿４４によって接続されているため、ロック解除レバー３２を下方へ押し下げると、ロック機構４０が連動して下方へ押し下げられる。ロック機構４０が下方へ押し下げられると、固定つめ３１ａとロック機構４０とのロックが解除されて、ばね３５に溜め込まれた力によって、パネル３１が矢印１０６の方向へ回動を始める。
【００３４】
パネル３１が機器１と共に矢印１０６の方向へ回動を続けると、パネル３１および機器１が自重によって下方へ回動しようとする力と、ばね３５がパネル３１を付勢する力と、が釣り合ったところでパネル３１は再度一旦停止する。この状態から例えば手５２（図２参照）などを使用して、パネル３１を収納キャビネット７に収納する。パネル３１がラッチ３７によってロックされ、使用者が扉３を閉止すると、パネル３１および機器１の収納動作が完了する。
【００３５】
なお、本具体例においては、ロック解除レバー３２は、収納キャビネット７の上方側面部に設けられているが、これに限定されるわけではなく、収納キャビネット７の下方側面部に設けてもよい。このようにすれば、機器１の使用後にパネル３１および機器１を収納する場合においては、使用者は足５４を使用してロック解除レバー３２を下方へ押し下げればよい。
【００３６】
以上説明したように、本具体例によれば、使用者がロック解除レバー３２を押し下げることによって、固定つめ３１ａとロック機構４０とのロックが解除される。パネル３１および機器１が自重によって回動する力と、ばね３５がパネル３１を付勢する力と、が釣り合ったところでパネル３１が一旦停止するため、使用者は腰を大きく屈めることなく楽な姿勢でパネル３１および機器１を収納キャビネット７の内部に収納できる。
【００３７】
図８は、本実施形態の他の具体例にかかる機器収納装置を例示した斜視図である。  
本具体例の機器収納装置２においては、体重計等の機器を収納するための収納キャビネット７が設けられている。収納キャビネット７の前方部においては、扉（図示せず）が設けられている。収納キャビネット７の内部においては、体重計等の機器を保持するパネル３１と、体重計等の機器１が設けられている。
【００３８】
パネル３１の下方部においては、回転軸３３と、ばね３５が設けられている。回転軸３３の一端はパネル３１に締結されており、他端は収納キャビネット７に連結されている。この回転軸３３によって、パネル３１は回転軸３３を中心として回動可能な構造を有している。ばね３５は、回転軸３３の軸外周に組み込まれており、パネル３１が床面２０に対して垂直方向の姿勢となる方向に付勢している。
【００３９】
収納キャビネット７の上方部においては、パネル３１が床面２０に対して垂直方向の姿勢となった状態をロックするためのラッチ３７が設けられている。収納キャビネット７の下方部においては、パネル３１が床面２０に対して水平方向の姿勢となった状態をロックするためのロック機構４０が設けられている。また、収納キャビネット７の後方部においては、ばね３５を受けるためのばね受け３６が設けられている。
【００４０】
パネル３１の内部においては、パネル３１が床面２０に対して水平方向の姿勢となった状態をロックするための固定つめ３８と、ロック用ばね４１と、が設けられてる。固定つめ３８は、パネル３１の右側方部から突出したロック解除レバー部３８ｃを有しており、図３に表した機器収納装置２におけるロック解除レバー３２の機能を兼ね備えている。また、固定つめ３８は、パネル３１の前方部から突出したラウンド部３８ｂを有している。
【００４１】
ロック用ばね４１は、固定つめ３８を前方へ押し出す方向へ付勢している。固定つめ３８は、軸３８ａを有している。そのため、固定つめ３８は、ロック解除レバー部３８ｃを矢印１０８の方向へ押し込むと、パネル３１の前方部から突出したラウンド部３８ｂが、矢印１１０の方向へ移動する構造を有している。また、ロック解除レバー部３８ｃの矢印１０８の方向への押し込みを止めると、ロック用ばね４１から力を受けて、ラウンド部３８ｂは前方へ移動する。
【００４２】
さらに、パネル３１は、ばね３５を固定するためのばね受け３１ｂと、固定つめ３８のロック解除レバー部３８ｃをパネル３１の右側方部から突出させるための固定つめ孔３１ｃと、を有している。なお、説明の便宜上、主に収納キャビネット７の中央部から右側方部にかけて説明したが、回転軸３３と、ばね３５と、ばね受け３６と、は、収納キャビネット７の左側方部においても、鏡面対称の状態で設けられている。
【００４３】
図９は、本実施形態の他の具体例にかかるパネルが収納された状態を右側方から眺めたＢ−Ｂ断面図である。  
また、図１０は、本実施形態の他の具体例にかかるパネルが前傾姿勢となった状態を右側方から眺めたＢ−Ｂ断面図である。  
また、図１１は、本実施形態の他の具体例にかかるパネルがロック機構に接触した状態を右側方から眺めたＢ−Ｂ断面図である。  
また、図１２は、本実施形態の具体例にかかるパネルが床面に対して水平方向の姿勢となった状態を右側方から眺めたＢ−Ｂ断面図である。  
なお、図９〜図１２に表した機器収納装置においては、説明の便宜上、収納キャビネット７と、ラッチ３７と、は、省略している。
【００４４】
パネル３１および機器１が収納キャビネット７に収納されている場合においては、パネル３１および機器１は、床面２０に対して垂直方向の姿勢となるように収納されている。この状態においては、パネル３１はラッチ３７によってロックされている。ラッチ３７は、後方に押す毎に、前方へ引き出される状態と、後方へ押し込まれる状態と、を繰り返す構造を有する。また、ばね３５は、ばね受け３６に受けられてなく、ばね３５とばね受け３６との間においては隙間がある。
【００４５】
パネル３１を後方に押し込むと、ラッチ３７が前方へ引き出され、パネル３１がラッチ３７のロックから解除される。パネル３１がラッチ３７のロックから解除されると、パネル３１は機器１と共に回転軸３３を中心として矢印１０２の方向へ自重によって回動を始める。
【００４６】
図１０に表した機器収納装置２のように、パネル３１が機器１と共に回動を続けると、ばね３５がばね受け３６に接触する。ばね３５がばね受け３６に接触すると、ばね受け３６側のばね３５の端部の動きは止まる。これに対して、パネル３１が有するばね受け３１ｂ側のばね３５の端部は、ばね受け３１ｂに固定されているため、パネル３１と共にさらに回動を続け、ばね３５はパネル３１を上方へ押し上げる方向（付勢方向）への力を溜め込んでいく。
【００４７】
パネル３１および機器１が自重によって回動する力と、ばね３５がパネル３１を付勢する力と、が釣り合ったところでパネル３１は一旦停止する。つまり、パネル３１および機器１は、前傾姿勢となった任意角度において一旦停止する。なお、パネル３１を上方へ押し上げる方向の付勢力と、パネル３１と機器１との重量と、の比率に合わせたばね３５を適宜選択することで、パネル３１が前傾姿勢となる角度を予め設定することができる。
【００４８】
パネル３１が一旦停止した状態から、パネル３１を例えば足５４（図２参照）などによって下方へ押し下げると、パネル３１を上方へ押し上げる方向（付勢方向）への力をばね３５にさらに溜め込みながら、固定つめ３８のラウンド部３８ｂはロック機構４０と接触するようになる。さらにパネル３１を押し下げると、ラウンド部３８ｂは、ロック機構４０によって上方へ押し上げられる。一方、ラウンド部３８ｂが上方へ押し上げられると、軸３８ａを中心に固定つめ３８が回動するため、ロック解除レバー部３８ｃは、下方へ押し下げられる。
【００４９】
パネル３１および機器１が床面２０に対して水平方向の姿勢になるまでパネル３１を押し下げると、固定つめ３８のラウンド部３８ｂがロック機構４０を通過するため、ラウンド部３８ｂとロック機構４０とが非接触状態となる。そのため、ラウンド部３８ｂがロック用ばね４１によって押し下げられ、固定つめ３８がロック機構４０に固定される。このようにして、パネル３１および機器１は床面２０に対して水平方向の姿勢に保持される。この状態において、ばね３５はパネル３１を上方へ押し上げる方向（付勢方向）への力を最大限に溜め込んでいる。また、この状態において、使用者は例えば体重計などの機器１を使用できる。
【００５０】
機器１の使用後にパネル３１および機器１を収納する場合においては、使用者はロック解除レバー部３８ｃを例えば足５４などによって下方へ押し下げればよい。ロック解除レバー部３８ｃを下方へ押し下げると、軸３８ａを中心に固定つめ３８が回動するため、ラウンド部３８ｂは、上方へ押し上げられる。ラウンド部３８ｂが上方へ押し上げられると、固定つめ３８とロック機構４０とのロックが解除されて、ばね３５に溜め込まれた力によって、パネル３１が矢印１０６の方向へ回動を始める。
【００５１】
パネル３１が機器１と共に矢印１０６の方向へ回動を続けると、パネル３１および機器１が自重によって下方へ回動しようとする力と、ばね３５がパネル３１を付勢する力と、が釣り合ったところでパネル３１は再度一旦停止する。この状態から例えば手５２（図２参照）などを使用して、パネル３１を収納キャビネット７に収納する。パネル３１がラッチ３７によってロックされ、使用者が扉３を閉止すると、パネル３１および機器１の収納動作が完了する。
【００５２】
なお、本具体例においては、固定つめ３８に軸３８ａが設けられ、ラウンド部３８ｂとロック解除レバー部３８ｃとの動きが反対方向となっているが、これに限定されるわけではなく、固定つめ３８に軸３８ａを設けずに、ラウンド部３８ｂとロック解除レバー部３８ｃとの動きが同じ方向となるようにしてもよい。このようにすれば、機器１の使用後にパネル３１および機器１を収納する場合においては、使用者は足５４（図２参照）の甲によって、ロック解除レバー部３８ｃを上方へ引き上げればよい。
【００５３】
以上説明したように、本具体例によれば、使用者がロック解除レバー部３８ｃを足などで押し下げることによって、固定つめ３８とロック機構４０とのロックが解除される。パネル３１および機器１が自重によって回動する力と、ばね３５がパネル３１を付勢する力と、が釣り合ったところでパネル３１が一旦停止するため、使用者は腰を大きく屈めることなく楽な姿勢でパネル３１および機器１を収納キャビネット７の内部に収納できる。
【００５４】
以下、本実施形態の設置例について図面を参照しつつ説明する。  
図１３は、本実施形態にかかる機器収納装置が設置されたトイレ室を例示する模式図である。  
図１３に表したトイレ室においては、側壁１０ａに大便器８が設置され、大便器８に隣接する側壁１０ｂに機器収納装置２が設置されている。また、大便器８と正対する側壁（図示せず）、または側壁１０ｃのいずれかの側壁にトイレのドア（図示せず）が設置されている。
【００５５】
図１３に表したトイレ室においては、洗浄機構がいわゆる「ロータンク式」の大便器を例示しているが、この洗浄機構はロータンクを用いない、いわゆる「水道直圧式」であってもよい。また、大便器８は、便座に座った使用者の「おしり」などに向けて水を噴射し、「おしり」の洗浄を可能とした温水洗浄便座装置９を有していてもよい。
【００５６】
機器収納装置２の上部においては、手洗い器６が設置されており、この手洗い器６は、手洗いボウル４と水栓５とを有している。機器収納装置２の内部においては、体重計などの機器１が収納されている。さらに、機器収納装置２の側面においては、トイレットペーパー１９を保持するペーパーホルダ１８が付設されている。なお、機器１は、体重計または体組成計などの測定機器に限定されるわけではなく、車椅子に乗った使用者のトイレ室における利便性を考慮した、例えば「ターンテーブル」などの機器であってもよい。
【００５７】
側壁１０ｂにおいては、側壁１０ｂに沿って延在した棚板１６が設置されていてもよい。さらに、側壁１０ｂにおいては、鏡１２が設置されていてもよいし、側壁１０ａの上部においては、窓１４が設置されていてもよい。
【００５８】
このようなトイレ室において、前述した構造を有する機器収納装置２を使用すれば、大便器８の前に例えば体重計などの機器１を引き出して使用することができる。また、機器１の収納時においては、パネル３１および機器１が自重によって回動する力と、ばね３５がパネル３１を付勢する力と、が釣り合ったところでパネル３１が一旦停止するため、使用者は腰を大きく屈めることなく楽な姿勢でパネル３１および機器１を収納キャビネット７の内部に収納できる。よって、狭いトイレ室においても腰を大きく屈めることなく機器１を出し入れすることができる。
【００５９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、固定つめ３１ａ、３８、ロック機構４０、もしくはばね３５などの各要素の形状、寸法、材質、配置など、または機器収納装置２の設置形態など、は、例示したものに限定されるわけではなく、適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００６０】
【図１】本発明の実施の形態にかかる機器収納装置を右側面から眺めた模式図であり、図１（ａ）は、パネルが収納された状態を例示した模式図であり、図１（ｂ）は、パネルが前傾姿勢となった状態を例示した模式図であり、図１（ｃ）は、パネルが床面に対して水平方向の姿勢となった状態を例示した模式図である。
【図２】本実施形態にかかるパネルが前傾姿勢となって一旦停止した状態を例示した模式図である。
【図３】本実施形態の具体例にかかる機器収納装置を例示した斜視図である。
【図４】本実施形態の具体例にかかるパネルが収納された状態を右側方から眺めたＡ−Ａ断面図である。
【図５】本実施形態の具体例にかかるパネルが前傾姿勢となった状態を右側方から眺めたＡ−Ａ断面図である。
【図６】本実施形態の具体例にかかるパネルがロック機構に接触した状態を右側方から眺めたＡ−Ａ断面図である。
【図７】本実施形態の具体例にかかるパネルが床面に対して水平方向の姿勢となった状態を右側方から眺めたＡ−Ａ断面図である。
【図８】本実施形態の他の具体例にかかる機器収納装置を例示した斜視図である。
【図９】本実施形態の他の具体例にかかるパネルが収納された状態を右側方から眺めたＢ−Ｂ断面図である。
【図１０】本実施形態の他の具体例にかかるパネルが前傾姿勢となった状態を右側方から眺めたＢ−Ｂ断面図である。
【図１１】本実施形態の他の具体例にかかるパネルがロック機構に接触した状態を右側方から眺めたＢ−Ｂ断面図である。
【図１２】本実施形態の具体例にかかるパネルが床面に対して水平方向の姿勢となった状態を右側方から眺めたＢ−Ｂ断面図である。
【図１３】本実施形態にかかる機器収納装置が設置されたトイレ室を例示する模式図である。
【符号の説明】
【００６１】
１ 機器、  ２ 機器収納装置、  ３ 扉、  ４ ボウル、  ５ 水栓、  ６ 手洗い器、  ７ 収納キャビネット、  ７ａ レバー用孔、  ７ｂ、７ｃ ガイド孔、  ８ 大便器、  ９ 温水洗浄便座装置、  １０ａ、１０ｂ、１０ｃ 側壁、  １２ 鏡、  １４ 窓、  １６ 棚板、  １８ ペーパーホルダ、  １９ トイレットペーパー、  ２０ 床面、  ３１ パネル、  ３１ａ 固定つめ、  ３１ｂ ばね受け、  ３１ｃ 固定つめ孔、  ３２ ロック解除レバー、  ３３ 回転軸、  ３５ ばね、  ３６ ばね受け、  ３７ ラッチ、  ３８ 固定つめ、  ３８ａ 軸、  ３８ｂ ラウンド部、  ３８ｃ ロック解除レバー部、  ４０ ロック機構、  ４０ａ ばねガイド、  ４１、４１ａ、４１ｂ ロック用ばね、  ４４ 接続桿  ５２ 手、  ５４ 足、  １００、１０２、１０６、１０８、１１０ 矢印
【図１】
2009069116.tif 000003
【図２】
2009069116.tif 000004
【図３】
2009069116.tif 000005
【図４】
2009069116.tif 000006
【図５】
2009069116.tif 000007
【図６】
2009069116.tif 000008
【図７】
2009069116.tif 000009
【図８】
2009069116.tif 000010
【図９】
2009069116.tif 000011
【図１０】
2009069116.tif 000012
【図１１】
2009069116.tif 000013
【図１２】
2009069116.tif 000014
【図１３】
2009069116.tif 000015